(57)【要約】【課題】使い勝手を更に向上できる加湿装置を提供することを目的とする。【解決手段】吸込口１と吹出口２を備えた本体ケース３と、本体ケース３内に着脱自在に設けた加湿手段５と、吸込口１から吸い込まれた空気を、送風路６により、加湿手段５を介して吹出口から吹き出す送風手段４とからなり、加湿手段５は、水を貯水できる椀形状の貯水容器部７と、この貯水容器部７内の水に一部が浸漬した加湿フィルター部８と、加湿フィルター部８を保持する保持体９とからなり、保持体９は、加湿フィルター部８を保持するフィルター保持部１１と、貯水容器部７の開口を塞ぐカーバー部１２と、カーバー部１２に設けた給水用開口部１３とからなり、給水用開口部１３は、加湿フィルター部８より送風路６における風上側に設けたので、使い勝手を更に向上できるものである。【選択図】図４
2015187528.tif 000002
【特許請求の範囲】
【請求項１】
吸込口と吹出口を備えた本体ケースと、前記本体ケース内に着脱自在に設けた加湿手段と、前記吸込口から吸い込まれた空気を、送風路により、前記加湿手段を介して吹出口から吹き出す送風手段とからなり、前記加湿手段は、水を貯水できる椀形状の貯水容器部と、この貯水容器部内の水に一部が浸漬した加湿フィルター部と、前記加湿フィルター部を保持する保持体とからなり、前記保持体は、前記加湿フィルター部を保持するフィルター保持部と、前記貯水容器部の開口を塞ぐカーバー部と、前記カーバー部に設けた給水用開口部とからなり、前記給水用開口部は、前記加湿フィルター部より前記送風路における風上側に設けたことを特徴とする加湿装置。
【請求項２】
前記フィルター保持部は、下面が開口した箱形状で、前記送風路における風上側には風上側開口を有し、前記送風路における風下側には風下側開口を備え、下端の開口縁には外方へ伸びる前記カーバー部を備え、前記加湿フィルター部は、前記フィルター保持部の下面から、前記加湿フィルター部の下部が突出するように前記フィルター保持部内に挿入され、前記加湿フィルター部の弾力性によって前記フィルター保持部内に保持され、前記フィルター保持部の前記風上側開口に複数の桟を設けたことを特徴とする請求項１に記載の加湿装置。
【請求項３】
前記フィルター保持部の下端開口の角部には、内方に突出した突出部分を設けたことを特徴とする請求項２に記載の加湿装置。
【発明の詳細な説明】
【技術分野】
【０００１】
本発明は、給水された水を貯水した貯水槽の水に、一部を浸漬した加湿フィルターに通風して加湿する気化式の加湿装置に関するものである。
【背景技術】
【０００２】
従来、この種の加湿装置は、吸込口と吹出口を備えた本体ケースと、前記本体ケース内に設けた加湿手段と、前記吸込口から吸い込まれた空気を、送風路により、前記加湿手段を介して吹出口から吹き出す送風手段とからなり、前記加湿手段は、水を貯水できる椀形状の貯水容器部と、この貯水容器部内の水に一部が浸漬した加湿フィルター部と、前記加湿フィルター部を保持する保持体とからなり、前記保持体は、前記加湿フィルター部を保持するフィルター保持部と、前記貯水容器部の開口を塞ぐカーバー部と、前記カーバー部に設けた給水用開口部とからなり、前記給水用開口部は、給水導管を介して前記送風路の本体ケース外に連通し、給水導管の先端には蓋を備える構成となっていた。（例えば、特許文献１参照）。
【先行技術文献】
【特許文献】
【０００３】
【特許文献１】実開昭５８−１０４８２０号公報
【発明の概要】
【発明が解決しようとする課題】
【０００４】
上記従来例における課題は、更に使い勝手を向上させることであった。
【０００５】
従来の加湿装置は、給水時に、加湿装置を、洗面所等の水道まで運び、給水用開口部から水を注ぐと、貯水容器部７内に貯水できるものであった。
【０００６】
そこで本発明は、更なる使い勝手の向上を図ることを目的とするものである。
【課題を解決するための手段】
【０００７】
そして、この目的を達成するために、本発明の加湿装置は、吸込口と吹出口を備えた本体ケースと、前記本体ケース内に着脱自在に設けた加湿手段と、前記吸込口から吸い込まれた空気を、送風路により、前記加湿手段を介して吹出口から吹き出す送風手段とからなり、前記加湿手段は、水を貯水できる椀形状の貯水容器部と、この貯水容器部内の水に一部が浸漬した加湿フィルター部と、前記加湿フィルター部を保持する保持体とからなり、前記保持体は、前記加湿フィルター部を保持するフィルター保持部と、前記貯水容器部の開口を塞ぐカーバー部と、前記カーバー部に設けた給水用開口部とからなり、前記給水用開口部は、前記加湿フィルター部より前記送風路における風上側に設けた構成としたものであり、これにより所期の目的を達成するものである。
【発明の効果】
【０００８】
本発明によれば、吸込口と吹出口を備えた本体ケースと、前記本体ケース内に着脱自在に設けた加湿手段と、前記吸込口から吸い込まれた空気を、送風路により、前記加湿手段を介して吹出口から吹き出す送風手段とからなり、前記加湿手段は、水を貯水できる椀形状の貯水容器部と、この貯水容器部内の水に一部が浸漬した加湿フィルター部と、前記加湿フィルター部を保持する保持体とからなり、前記保持体は、前記加湿フィルター部を保持するフィルター保持部と、前記貯水容器部の開口を塞ぐカーバー部と、前記カーバー部に設けた給水用開口部とからなり、前記給水用開口部は、前記加湿フィルター部より前記送風路における風上側に設けたので、使い勝手を更に向上できるものである。
【０００９】
すなわち、加湿手段を本体ケース内に着脱自在に設け、給水用開口部は、加湿フィルター部より送風路における風上側に設けたので、加湿装置に水を補給する場合に、貯水容器部を持って、洗面所等の水道まで運び、貯水容器部から加湿フィルター部と保持体とを外すこと無く、給水用開口部から水を注ぐと、貯水容器部内に貯水できる。
【００１０】
これらの結果により、使い勝手を更に向上できるものである。
【図面の簡単な説明】
【００１１】
【図１】本発明の実施の形態１の加湿装置を示す斜視図
【図２】同加湿装置の断面図
【図３】同加湿装置の加湿手段の斜視図
【図４】同加湿装置の加湿手段の分解斜視図
【図５】同加湿装置の加湿手段の斜視図
【図６】同加湿装置の加湿手段の保持体の斜視図
【発明を実施するための形態】
【００１２】
以下、本発明の実施の形態について、図１〜図６を参照しながら説明する。
【００１３】
（実施の形態１）
本発明の実施の形態１の加湿装置は、図１、２に示すように、吸込口１と吹出口２を備えた本体ケース３と、この本体ケース３内に、送風手段４と、加湿手段５とを備えている。これら送風手段４と加湿手段５は、吸込口１と吹出口２と連通する送風路６に設けられている。送風手段４は、加湿手段５より送風路における下流側に位置する。加湿手段５は、本体ケース３の下部に着脱自在に設けられている。
【００１４】
送風手段４は、本体ケース３の吸込口１から吸い込まれた空気を、送風路６により、加湿手段５を介して吹出口２から吹き出す。
【００１５】
加湿手段５は、図３、４、５に示すように、貯水容器部７と、加湿フィルター部８と、保持体９とからなる。
【００１６】
貯水容器部７は、椀形状で、水を貯水できる。本体ケース３の一方側、下方に設けた開口部から、水平方向へ摺動させることによって、着脱できる。貯水容器部の上部には、回動自在な取手１０を備えている。
【００１７】
加湿フィルター部８は、横長四角形の平板形状で、吸い上げ式のタイプである。加湿フィルター部８は、横長四角形状の長辺の一方が、下端となり、垂直面を有するように、保持体によって、保持されている。これにより、加湿フィルター部８は、貯水容器部７内の水に、一部、つまり下部が浸漬し、この浸漬した部分から貯水容器部７内の水を吸い上げる。
【００１８】
保持体９は、加湿フィルター部８を保持するフィルター保持部１１と、貯水容器部の開口を塞ぐカーバー部１２と、カーバー部に設けた給水用開口部１３とからなる。
【００１９】
本実施形態における特徴は、給水用開口部１３を、加湿フィルター部８より送風路６における風上側に設けた点である。
【００２０】
すなわち、給水用開口部１３は、カーバー部１２に設けられた略四角形状の開口であり、加湿手段５に水を補給する場合に、貯水容器部７の取手１０を持って、洗面所等の水道まで運び、貯水容器部７から加湿フィルター部８と保持体９とを外すこと無く、給水用開口部１３から水を注ぐと、貯水容器部７内に貯水できる。結果として、給水、手入れ等の際に本体からの加湿手段の着脱、及び加湿手段単体の運搬時の使い勝手が向上する。
【００２１】
また、送風路６における風下側に給水用開口部１３を設けた場合に比べ、送風路６内の空気流による給水用開口部１３からの飛散を抑制できる。すなわち、給水用開口部１３から風下側へ飛散した場合にも、飛散した水滴は、風下側の加湿フィルター部８へ付着し易いので、送風路６への飛散を抑制できる。
【００２２】
また、フィルター保持部１１は、下面が開口した奥行き（本体ケースにおける前後方向）の小さい横長長方形の箱形状で、送風路における風上側（本体ケースにおける前面側）には風上側開口１４を有し、送風路６における風下側（本体ケースにおける後面側）には風下側開口１５を備えている。下端の下端開口１６の開口縁には外方へ伸びるカーバー部１２を備えている。加湿フィルター部８は、フィルター保持部１１の下面から、加湿フィルター部８の下部が突出するようにフィルター保持部１１内に挿入され、加湿フィルター部８の弾力性によってフィルター保持部１１内に保持されている。フィルター保持部１１の風上側開口に複数の桟１７を設けたものである。
【００２３】
これにより、加湿フィルターとフィルター保持部との間にできる隙間に関しては、フィルター保持部１１に設けた桟１７で加湿フィルター部８をフィルター保持部１１に密着させることでこの部分からの水跳ね、飛散を抑制し、本体ケース３内部である送風路６を水で濡らすことを抑制し、使用できる。
【００２４】
また、図６は保持体９を下方から見た図である、図６に示すように、フィルター保持部１１の下端開口１６の角部には、内方に突出した突出部分１８を設けたものである。この突出部分１８は、角部に設けたＲ形状である。
【００２５】
これにより、フィルター保持部１１と加湿フィルター部８との隙間で発生する水跳ねや飛散を抑制することができる。
【産業上の利用可能性】
【００２６】
本発明によれば、吸込口と吹出口を備えた本体ケースと、前記本体ケース内に着脱自在に設けた加湿手段と、前記吸込口から吸い込まれた空気を、送風路により、前記加湿手段を介して吹出口から吹き出す送風手段とからなり、前記加湿手段は、水を貯水できる椀形状の貯水容器部と、この貯水容器部内の水に一部が浸漬した加湿フィルター部と、前記加湿フィルター部を保持する保持体とからなり、前記保持体は、前記加湿フィルター部を保持するフィルター保持部と、前記貯水容器部の開口を塞ぐカーバー部と、前記カーバー部に設けた給水用開口部とからなり、前記給水用開口部は、前記加湿フィルター部より前記送風路における風上側に設けたので、使い勝手を更に向上できるものである。
【００２７】
すなわち、加湿手段を本体ケース内に着脱自在に設け、給水用開口部は、加湿フィルター部より送風路における風上側に設けたので、加湿装置に水を補給する場合に、貯水容器部を持って、洗面所等の水道まで運び、貯水容器部から加湿フィルター部と保持体とを外すこと無く、給水用開口部から水を注ぐと、貯水容器部内に貯水できる。
【００２８】
これらの結果により、使い勝手を更に向上できるものである。
【００２９】
従って、家庭用や事務所用などの加湿装置として活躍が期待されるものである。
【符号の説明】
【００３０】
１      吸込口
２      吹出口
３      本体ケース
４      送風手段
５      加湿手段
６      送風路
７      貯水容器部
８      加湿フィルター部
９      保持体
１０      取手
１１      フィルター保持部
１２      カーバー部
１３      給水用開口部
１４      風上側開口
１５      風下側開口
１６      下端開口
１７      桟
１８      突出部分
【図１】
2015187528.tif 000003
【図２】
2015187528.tif 000004
【図３】
2015187528.tif 000005
【図４】
2015187528.tif 000006
【図５】
2015187528.tif 000007
【図６】
2015187528.tif 000008